(57)【特許請求の範囲】
【請求項１】
伝送路を監視して伝送路上のキャリアを検出したと判定するためのキャリア・センス条件が成立したことを示すキャリア・センス信号がアサートされていない場合に、送信要求に応じて送信信号の送信を開始する通信モデムにおいて、
上記キャリア・センス条件より早期に成立可能であって上記キャリア・センス条件の一部をなすプレキャリア・センス条件が成立した場合は、上記プレキャリア・センス条件が成立したことを示すプレキャリア・センス信号をアサートし、プレキャリア・センス信号をアサートした後に上記プレキャリア・センス条件が崩れた場合は、プレキャリア・センス信号をネゲートし、上記キャリア・センス条件が成立した場合は、キャリア・センス信号をアサートし、キャリア・センス信号をアサートした後に通信信号を受信し、通信信号を受信した後にプレキャリア・センス信号とキャリア・センス信号とをネゲートする受信部と、
キャリア・センス信号がアサートされていない場合であってもプレキャリア・センス信号がアサートされている間は、送信信号の送信の開始を抑える送信部であって、プレキャリア・センス信号がアサートされている間であっても送信信号の種別が所定の種別の場合は、送信要求に応じて送信信号の送信を開始する送信部とを備えたことを特徴とする通信モデム。
【請求項２】
上記キャリア・センス条件は、上記受信部が少なくとも規定回数連続して伝送路上のシンボルを検出した場合に成立することとし、
上記プレキャリア・センス条件は、上記受信部が上記規定回数より少ない所定の回数連続して伝送路上のシンボルを検出した場合に成立することとしたことを特徴とする請求項１記載の通信モデム。
【請求項３】
上記所定の回数は、１回としたことを特徴とする請求項２記載の通信モデム。
【請求項４】
上記プレキャリア・センス条件は、上記受信部が伝送路上のシンボルを検出できなくなった場合、または、伝送路上の信号レベルが所定値以下になった場合に崩れることとしたことを特徴とする請求項１から３のいずれかに記載の通信モデム。
【請求項５】
上記送信部は、プレキャリア・センス信号がアサートされている間であっても送信信号の種別が、上記受信部が受信した通信信号中に記された通信モデムだけが返すように定められた応答である場合は、送信要求に応じて送信信号の送信を開始することを特徴とする請求項１から４のいずれかに記載の通信モデム。
【請求項６】
伝送路を監視して伝送路上のキャリアを検出したと判定するためのキャリア・センス条件が成立したことを示すキャリア・センス信号がアサートされていない場合に、送信要求に応じて送信信号の送信を開始する通信方法において、
通信モデムの受信部が、上記キャリア・センス条件より早期に成立可能であって上記キャリア・センス条件の一部をなすプレキャリア・センス条件が成立した場合は、上記プレキャリア・センス条件が成立したことを示すプレキャリア・センス信号をアサートするステップと、
上記受信部が、プレキャリア・センス信号をアサートした後に上記プレキャリア・センス条件が崩れた場合は、プレキャリア・センス信号をネゲートするステップと、
上記受信部が、上記キャリア・センス条件が成立した場合は、キャリア・センス信号をアサートし、キャリア・センス信号をアサートした後に通信信号を受信し、通信信号を受信した後にプレキャリア・センス信号とキャリア・センス信号とをネゲートするステップと、
上記通信モデムの送信部が、キャリア・センス信号がアサートされていない場合であってもプレキャリア・センス信号がアサートされている間は、送信信号の送信の開始を抑えるステップであって、上記送信部が、プレキャリア・センス信号がアサートされている間であっても送信信号の種別が所定の種別の場合は、送信要求に応じて送信信号の送信を開始するステップとを備えたことを特徴とする通信方法。
【発明の詳細な説明】
【技術分野】
【０００１】
この発明は、家庭の電灯線等、ノイズが多い回線を利用した通信における、通信確立時間短縮に関するものである。
【背景技術】
【０００２】
宅内の電灯線を伝送媒体として通信を行なう電力線通信は、既に施設してある伝送媒体を使用することが可能なため、新たに伝送媒体を設置する必要がなく、安価に通信システムを構築することができる。
通常、電灯線を使った通信システムは、通信を行なう複数の機器（電力線モデム）が同一の電灯線上に接続されて互いに通信を行なうため、マルチアクセスの通信システムを形成する。このようなマルチアクセスの通信システムで使用される通信方式の１つとして、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方式がある。
ＣＳＭＡ／ＣＡ方式では、伝送路上の搬送波信号（以降、キャリア）を監視し、キャリアを検出した際には受信動作を行ない、キャリアを検出していない場合に限り送信を行なうことにより、同時送信による通信信号の混信の発生確率を低下させている。
キャリアの検出処理（キャリアセンス）では、決められた期間における条件（キャリアセンス条件）と伝送路からの入力信号とを照らし合わせて伝送路上のノイズか実際の通信信号かの判別を行なう。一般にキャリアセンスを行うために時間をよけいにかければ、ノイズを通信信号と誤って受信してしまう可能性はそれだけ減少する。
【０００３】
一方、電力線通信は、伝送路上に種々の家電品等が接続されており、それらから発生するノイズが多く、かつ、時間的にも周波数的にも、あるいは、伝送路上の位置的にも予測不可能なものであるため、伝送路上のノイズという観点からは劣悪な環境における通信といえる。そのため、ノイズを通信信号と誤ってキャリアの検出をしてしまい、受信処理を行なってしまう可能性が高い。ノイズに対して誤ってキャリアを検出した場合でも、通常の通信信号の場合と同様な処理手順に従って受信処理を行なうため、受信処理後、再び、キャリアセンスに復帰するまでには、ある程度の時間を要する。そのため、ノイズに対する受信処理中に、本来の通信信号が伝送路上に流れた場合には、その通信信号をとりこぼす可能性が生じ、あるいは、送信に関して互いに同期をとっているようなシステムにおいては同期くずれの要因となる。前述したように、キャリア検出条件を厳しくし、キャリア検出の判定に多くの時間を費やすようにすれば、それだけ誤ってキャリアを検出する可能性は減少するが、反面、スループットを低下させる。また、例えば、送信要求が発生した際に、キャリアを検出していなければ直ちに送信を開始してしまうようなシステムにおいては、キャリア検出の判定に要する時間を長くすることは、混信を発生する確率を増大してしまう。
【０００４】
これらの従来の通信機器における最初のＡＧＣ制御からペイロード受信までの動作を図８に示す。図において、通信機器は先ず受信状態で待機していてレベル検出状態にあり、レベル検出するとＳ５０１でＡＧＣ（自動利得制御）を行い、Ｓ５０２でシンボルを検出すると、Ｓ５０４でこのシンボルが０を意味しないことを確認しながら、Ｓ５０６で６シンボル受信したことを確認して、キャリア・センスを検出したとして、以後、Ｓ５０７でフィールド・コード（ＦＣ）検出し、Ｓ５０９のペイロード受信動作を行う。なおＦＣ検出すると、決められたＦＣ受信終了までは、Ｓ５１１の時間監視をして、この終了まではなにもしない。
更にいったんキャリアセンスした場合には、送信動作を禁止するための同期タイマをリセットする方式となっている。
【０００５】
同じＣＳＭＡ／ＣＡ方式を用いた無線ＬＡＮにおける混信の対策を講じている例として、特許文献１で示される方式がある。
上記文献によれば、送信する際に、最大パケット長の受信を行なった場合に返信するのに要する処理時間よりも多くの時間分だけキャリアセンスを行ない、送受信間の間隙に誤って送信を行なってしまい混信を発生してしまうことを防ぐ方法に関して開示している。また、連続してパケットを送信する場合には、キャリアセンス時間を上記処理時間よりも短くすることにより、効率よく送受信を行なう方法について開示している。
しかしながら、この方法では、必ず処理時間分だけ第１のパケットの送信が遅れてしまうため、例え前後に通信がない状態でも一定の時間を費やしてしまうことになり、結果としてスループットの低下を招いている。また、第１のパケット同士の混信に関しては、何ら寄与しない。
【特許文献１】特開平１１−３３１１８５号公報
【発明の開示】
【発明が解決しようとする課題】
【０００６】
以上のように、電力線通信では、伝送路上のノイズが多いため、誤ってキャリアを検出してしまう確率が高いが、この確率を下げるためにキャリアセンスの条件を厳しくし、判定に要する時間を長くすることは、スループットの低下を招くとともに、混信を発生する可能性を高めるという課題がある。
また、誤ってキャリアを検出してしまった場合には、復帰に要する時間がかかる分だけ本来受信すべきデータをとりこぼす可能性が出てくるとともに、互いのモデム同士の同期がくずれる可能性があるという課題もある。
【０００７】
この発明は上記の課題を解決するためになされたもので、誤ってキャリア・センスを検出した場合の初期状態復帰を短縮し、混信発生の可能性を減らして、スループットの低下を防いだ通信機器を得ることを目的とする。
また同様に、受信失敗による再受信動作に戻る時間を短縮し、または送信開始時間を短縮して、スループットの低下を防いだ通信モデムを得る。
【課題を解決するための手段】
【０００８】
この発明に係る復帰手続短縮通信モデムは、伝送路における信号衝突を監視して無衝突時に送信を開始する通信モデムにおいて、
監視中の受信信号のキャリア・センス条件成立後に、このキャリア・センス条件が崩れると、信号衝突を監視する最初のフェーズに戻るリセット信号を出す制御回路を備えた。
【０００９】
また更に、キャリア・センス条件が崩れるのは、監視対象の信号レベルが所定値以下になることとした。
【００１０】
また更に、キャリア・センス条件が崩れるのは、監視対象の信号対雑音比が悪化して所定値以下になることとした。
【００１１】
また更に、制御回路は、キャリア・センス条件を変更するよう、キャリア・センス検出側に条件変更信号を出力するようにした。
【００１２】
また更に、キャリア・センス後に規定時間経過しているかを調べる時間判定回路を備えて、
監視中の受信信号のキャリア・センス条件成立後に、このキャリア・センス条件が崩れると、信号衝突を監視する最初のフェーズに戻ることに代えて、時間判定回路が規定時間が経過しているとした場合は同期をとり直し、規定時間経過していない場合は信号衝突を監視する最初のフェーズに戻るようにした。
【００１３】
または、伝送路における信号衝突を監視して無衝突時に送信を開始する通信モデムにおいて、
監視対象であるシンボルを検出するとプレキャリア・センス信号をセットし、このシンボル検出が途切れるとプレキャリア・センス信号をリセットする受信部と、
送信要求があると、プレキャリア・センス信号がセットされている間は、送信開始を抑える送信部、とを備えた。
【００１４】
キャリア・センス信号が途切れるのは、監視対象のシンボルが検出ができなくなるか、または信号レベルが所定値以下になることとした。
【００１５】
また更に、送信部は、送信フレームの種別をみて、所定の種別の場合は、送信要求があると、プレキャリア・センス信号がリセットされていることを確認して送信開始するようにした。
【００１６】
この発明に係る復帰手続短縮通信方法は、伝送路における信号衝突を監視して無衝突時に送信を開始する通信方法において、
監視中の受信信号のキャリア・センス条件成立後に、このキャリア・センス条件の消失を検出する消失検出ステップと、
上記消失検出すると、信号衝突を監視する最初のフェーズに戻るステップ、とを設けた。
【００１７】
また更に、キャリア・センス後に規定時間経過しているかを調べる時間判定ステップを設けて、
監視中の受信信号のキャリア・センス条件成立後に、このキャリア・センス条件が消失すると、信号衝突を監視する最初のフェーズに戻るステップに代えて、上記時間判定ステップで規定時間が経過していた場合は、同期をとり直すステップを備え、
規定時間経過していない場合は、信号衝突を監視する最初のフェーズに戻るステップとした。
【００１８】
または、伝送路における信号衝突を監視して無衝突時に送信を開始する通信方法において、
監視対象であるシンボルを検出するとプレキャリア・センス信号をセットするステップと、
このシンボル検出が途切れるとプレキャリア・センス信号をリセットするステップと、
送信要求があると、プレキャリア・センス信号がセットされている間は、送信開始を抑えるステップ、とを備えた。
【００１９】
この発明に係る通信モデムは、
伝送路を監視して伝送路上のキャリアを検出したと判定するためのキャリア・センス条件が成立したことを示すキャリア・センス信号がアサートされていない場合に、送信要求に応じて送信信号の送信を開始する通信モデムにおいて、
監視対象であるシンボルを検出した場合は、シンボルを検出したことを示すプレキャリア・センス信号をアサートし、シンボルの検出が途切れた場合は、プレキャリア・センス信号をネゲートする受信部と、
キャリア・センス信号がアサートされていない場合であってもプレキャリア・センス信号がアサートされている間は、送信信号の送信の開始を抑える送信部とを備えたことを特徴とする。
【００２０】
上記通信モデムは、
シンボルの検出が途切れるのは、監視対象のシンボルが検出できなくなるか、または、監視対象の信号レベルが所定値以下になることとしたことを特徴とする。
【００２１】
上記送信部は、プレキャリア・センス信号がアサートされている間であっても送信信号の種別が所定の種別の場合は、送信要求に応じて送信信号の送信を開始することを特徴とする。
【００２２】
この発明に係る通信方法は、
伝送路を監視して伝送路上のキャリアを検出したと判定するためのキャリア・センス条件が成立したことを示すキャリア・センス信号がアサートされていない場合に、送信要求に応じて送信信号の送信を開始する通信方法において、
通信モデムの受信部が、監視対象であるシンボルを検出した場合は、シンボルを検出したことを示すプレキャリア・センス信号をアサートするステップと、
上記通信モデムの受信部が、シンボルの検出が途切れた場合は、プレキャリア・センス信号をネゲートするステップと、
上記通信モデムの送信部が、キャリア・センス信号がアサートされていない場合であってもプレキャリア・センス信号がアサートされている間は、送信信号の送信の開始を抑えるステップとを備えたことを特徴とする。
【発明の効果】
【００２３】
この発明によれば、キャリア・センス条件成立後に、キャリア・センス条件が崩れると、信号衝突を監視する最初のフェーズに戻るリセット信号を出す制御回路を設けたので、誤ってキャリア・センスを検出した場合の初期状態復帰を短縮し、結果としてスループットの低下を防ぐ効果がある。
【００２４】
また、キャリアセンス後の規定時間経過を調べる時間判定回路を備えたので、送信制御を早く開始出来るだけでなく、場合により無駄な伝送を防ぐ効果もある。
【００２５】
また、シンボル検出でプレキャリア・センス信号をセットし、キャリア・センスが途切れるとリセットする受信部と、送信要求があると、プレキャリア・センス信号のリセットを確認して送信開始する送信部、とを備えたので、衝突を回避してスループットの低下を防ぐ効果がある。
【発明を実施するための最良の形態】
【００２６】
実施の形態１．
レベル監視の初期状態において、リセットによる再受信動作に戻る時間を短縮した通信モデムの構成と動作を説明する。
図１は、本実施の形態における通信機器の動作を示すフロー図であり、図２はその構成を示す図である。また図３は図２に示す電力線モデムの動作を説明する図である。図２において、１は信号伝送路としての電灯線で、２は電力線モデム全体、３は制御機器である。電力線モデム２は２１の受信部と、２２の送信部とで構成され、２３の制御機器インタフェース（Ｉ／Ｆ）経由で制御機器３と命令、応答の交換をしている。受信部２１は更に以下の要素で構成されている。即ち、２０１は受信信号の振幅を増幅するＡＧＣ（自動利得制御）回路、２０２はアナログデータをディジタルに変換するＡＤ変換器、２０３は信号のフィルタ処理や高速フーリエ変換を行うディジタル信号処理回路、２０４は受信信号を復調して復調結果をトーン検定部等に出力する復調器、２０５は受信信号のレベルを調べるレベル検知部、２０６は同じく復調結果の受信信号が論理データか０データであるかを判別し、ＣＳ判定部等に出力するトーン検定部、２０７はキャリア・センスを調べる、この場合は６つの０シンボルが続くかを調べるＣＳ判定部、２０８は信号受信中の各種の状態から動作全体を制御する受信制御部、２０９はフィールド・コードを受信したかを判定するＦＣ判定部、２１０はフィールド・コードがあると、受信信号からヘッダを抽出するヘッダ受信部、２１１は同じくヘッダのペイロード記載に基づいてデータを抽出して制御機器Ｉ／Ｆに出力するペイロード受信部、２１２は制御機器インタフェースである。
【００２７】
図１の構成図と図２のフロー図、及び図の動作説明図に基づいて受信動作を説明する。
通信機器の電力線モデム２は、送信している期間以外は、常に受信状態で待機していて、電灯線を監視している。受信監視は、レベル検出から開始するが、ステップＳ１０１からペイロード受信に至る基本的な動作は、従来と同じである。つまり、信号を検出するとＡＧＣ２０１で信号を増幅し、復調結果でシンボルを規定回数、この場合Ｓ１０６で６個のシンボル０を検出してＳ１０７でＦＣ検出と判定する。このシンボル検出Ｓ１０２から所定数のシンボル検出Ｓ１０６までがキャリア・センスの状態である。つまりこのフローを過ぎるとキャリア・センス条件が成立する。受信した通信フレームは、キャリア検出のためのプリアンプルに続いて、フレーム長や制御機器のソース、アドレス等が記載されたヘッダと、その制御機器に対する内容が記載されたペイロードとで構成されている。
本実施の形態の電力線モデムが持つ新しい機能は、Ｓ１１０のレベル検知部２０５の動作を優先したことである。すなわち、フィールド・コードの受信検出状態まで進んだ状態でも、レベル検知部２０５からのレベル低下通知を受けると、受信制御部２０８は直ちにリセット信号２２１をアクティブにして、ＡＧＣ回路２０１を制御して受信初期状態（最初のフェーズ）に移る。つまりレベル検知部２０５の通知を優先する接続としている。更に、常に最初のフェーズＳ１０１に戻る動作としてもよい。また、レベル検出に代えて信号対雑音比（Ｓ／Ｎ）の悪化により、最初のフェーズに戻るようにしてもよい。
【００２８】
図３の説明図で云えば、図３（ａ）においてキャリアセンス後はＦＣ検出に移り、ＦＣ検出ができない場合はＦＣタイムアウトを待って初期状態に復帰していたのに対し、図３（ｂ）に示す本実施の形態の構成では、キャリアセンス後にＦＣ検出状態に移っても、レベル検知部２０５からレベル低下の通知を受ける（Ｓ１１０）と、直ちに初期状態に移り、続く正規の通信フレーム受信に応答してＣＳ処理、ＦＣ検出処理、ヘッダ受信／ペイロード受信に移ることができる。即ち正規の通信フレームの受信を失敗する機会を減らすことができる。
【００２９】
図２の構成では、レベル検知部２０５と受信制御部２０８の詳細を示していないが、直前にノイズを受信して誤ってＣＳ処理を行い、結果としてＦＣ検出ができない、つまり正常受信ができなかった回数を受信制御部２０８に記憶させ、図示のレベルとしてこれをレベル検知部２０５に通知して、レベル検知部２０５はこの通知に基づいてレベル低下検知の基準値を変更するようにしてもよい。あるいは失敗時のレベルを記憶させて、次にこれらの失敗時のレベルより高い基準値に変更するようにしてもよい。こうして例えば失敗が多いとレベル基準を上げるようにすると、ノイズに対する誤応答を少なくすることが期待できる。
レベル基準値を変更する代わりに、図示のＣＳ判定部への回数信号により、キャリア検出の規定値、例えば６回を多くするようにしてもよい。
また、例えば受信制御部に制御プログラムを組み込み、図１に示す動作機能を持たせて、ＦＣ検出後にＳ１１０のレベル監視して、レベル低下で初期状態に戻るフローを設けてもよい。
【００３０】
続いて同期タイマのリセット動作について図１と、詳細構成図である図４と、動作説明図である図５とを用いて説明する。
図４は、図２における受信制御部２０８の詳細を示す図であり、受信ステート制御回路２３１、シンボルカウンタ２３２、同期タイマリセット制御回路２３３からなっている。同期タイマ２３５自体は、通信機器の送信禁止期間を設定しているもので、受信優先、衝突回避等の目的で送信を行わない期間を設定している。図４の接続で、Ｓ１０６でキャリアセンスが検出されると、受信ステート制御回路２３１はシンボルカウンタ２３２をリセットし、次のキャリアセンスに備える。またこの状態が同期タイマリセット制御回路２３５に伝えられ、ＣＳ後時間判定回路２３４と比較される。
このことは動作で云えば、図１の動作フローにおいて、Ｓ１２０のキャリアセンス後規定時間経過したかを調べるステップを設けている。つまり時間、即ちシンボル数をカウントし、このシンボル数カウント値が規定値（時間）以下であるとノイズと判定して同期をとり直さない。カウント値が規定値以上の場合には衝突フレームやサポート外のフレームと判定して同期をとり直す。
【００３１】
図５（ｂ）の従来例では、例えば送信禁止期間を５０ｈシンボルと設定していて、図５（ｃ）の動作フロー上では、ＦＣタイムアウトまたはフレームタイムアウト後に同期タイマをリセットしている（図５（ｂ））。これに対して図４及び図１の機能を持つ構成では、図５（ｆ）に示すように、Ｓ１２０のＣＳ後規定時間経過したかを調べて、時間経過している場合のみ同期タイマをリセットしているので、この場合には同期タイマがリセットされない。従って自身が送信要求を持つ場合は、禁止期間５０ｈシンボル経過後、送信処理に入れる。このことは対向通信先がこちらに応答を要求している時、正常に応答を返して、送信処理が遅れて相手から再送メッセージが届く等の、無駄な伝送を防ぐ効果がある。
この場合もまた、例えば受信制御部に制御プログラムを組み込み、図１に示す動作機能を持たせて、ＦＣ検出後にＳ１２０の規定時間経過判定ステップを設けて、場合により直ちに初期状態に戻るフローを設けてもよい。
【００３２】
実施の形態２．
待ち受け状態から送信開始までの時間を短縮してスループット低下を防ぐ他の場合を説明する。
図６は本実施の形態における通信モデムの動作を示すフロー図である。本実施の形態においては、プレキャリアセンスという概念を導入し、受信優先で衝突検出時において、送信部から送信要求があっても、先ずプレキャリアセンス状態を検出して送信準備をして、確かに受信開始状態でないと判断するまで送信を待つ。逆に云えば、ノイズ受信等で正しい受信では無いと判断すると、直ちに送信を開始する。
制御機器３からの送信要求を受け取った送信部２２は、キャリアが検出されているか否かの判定結果に従い、キャリアが検出されている場合には、混信をさけるため送信要求をキャンセルして実際の送信は行なわない。一方、キャリアが検出されていない場合には、送信部２２に対して制御機器３から送られてくる送信データの送出を行ない、送信部２２では送信データに対して変調を行なった後、伝送路に対して送信データを出力する。
【００３３】
キャリアの検出には、例えば論理データの０連続の回数をカウントして規定の回数に達したか否かにより判定を行なっているため一定の時間を要する。この規定回数よりも少ない回数、即ち、キャリアの検出の判定よりも時間的に早期に判定可能な条件（プレキャリアセンス条件）を別途規定しており、このプレキャリアセンス条件を満たしている場合には、例え制御機器３から送信要求が発生した場合でも、すぐに送信を開始することはせずに、キャリアセンス条件を判定するのに必要な時間分だけ送信をウェイトする。ウェイトしている間にキャリアセンス条件を満たした場合（０連続が規定回数に達した場合）には、送信をキャンセルして受信処理を行ない、キャリアセンス条件を満たさなかった場合（規定回数に達する前に０連続が途切れた場合または信号レベルが所定値以下に低下した場合）には、プレキャリア・センス信号がリセットされ、ノイズが入力されていたと判断してその時点で送信処理を開始する。
このように、プレキャリアセンス条件を設けることにより、復調結果が０連続している状態で時間的にあと少しでキャリアを検出するときに送信要求が発生した場合でも、そのまま直ぐには送信を開始しないため、誤ってキャリアを検出する確率は変らずに混信を避けることができる。
【００３４】
図７はプレキャリアセンスの効果を説明するタイミング図であり、比較のため、図８の従来のフローによる同様動作を説明する。即ち、図８のＳ５５１で送信要求があると、Ｓ５５２でのキャリアセンスの確認のみを行い、Ｓ５５３で直ちに送信を開始するので、図７（ａ）に示すように、結果として受信信号とのフレームの衝突を引き起こす確率が高くなる。
これに対し、本実施の形態の通信モデムは、伝送路に受信信号があると、１シンボル受信でＳ１３３においてプレキャリアセンス信号がセットされるので、Ｓ１５２、Ｓ１５３で送信が待たされ、伝送路における衝突が回避される。
【００３５】
また、送信フレームに種別を設け、つまりヘッダに種別情報を記載し、この記載による特定の種別の通信フレームではプレキャリアセンス条件が満たされているか否かを無視してすぐに送信するようにしておくようにしてもよい。こうすれば、例えば、フレームの種別として、ヘッダ中のディスティネーションアドレスに明記されたモデムだけが応答を返すような情報があった場合に、この情報による制御機器３からの送信要求が来た場合には、仮にプレキャリアセンス条件を満たしている場合でも、それはノイズによるもでのある可能性が高く、そのまま送信を開始することにより不用意に送信を遅らせることなく効率よく通信を行なうことができる。あるいは、複数のプレキャリアセンス条件を設けて、種別の優先順位に応じて条件を選択するようにしてもよい。または、所定の送信フレーム信号を得て、この送信フレームの送信時のみ、待機するようにしてもよい。
さらにまた、受信回数に対するプレキャリア検出回数に応じてプレキャリアセンス条件を変更することにより、伝送路の特性に合わせて、過度にノイズに反応して送信開始を遅延させることなく効率よく通信を行なうことができる。
【００３６】
以上のように、この発明に係る通信モデムは、
伝送路における信号衝突を監視して無衝突時に送信を開始する通信モデムにおいて、
上記監視中の受信信号のキャリア・センス条件成立後に、該キャリア・センス条件が崩れると、信号衝突を監視する最初のフェーズに戻るリセット信号を出す制御回路を備えたことを特徴とする。
【００３７】
上記通信モデムは、
キャリア・センス条件が崩れるのは、監視対象の信号レベルが所定値以下になることとしたことを特徴とする。
【００３８】
上記通信モデムは、
キャリア・センス条件が崩れるのは、監視対象の信号対雑音比が悪化して所定値以下になることとしたことを特徴とする。
【００３９】
制御回路は、キャリア・センス条件を変更するよう、キャリア・センス検出側に条件変更信号を出力するようにしたことを特徴とする。
【００４０】
上記通信モデムは、
キャリア・センス後に規定時間経過しているかを調べる時間判定回路を備えて、
監視中の受信信号のキャリア・センス条件成立後に、該キャリア・センス条件が崩れると、信号衝突を監視する最初のフェーズに戻ることに代えて、上記時間判定回路が規定時間が経過しているとした場合は、同期をとり直し、規定時間経過していない場合は、信号衝突を監視する最初のフェーズに戻るようにしたことを特徴とする。
【００４１】
また、この発明に係る通信モデムは、
伝送路における信号衝突を監視して無衝突時に送信を開始する通信モデムにおいて、
監視対象であるシンボルを検出するとプレキャリア・センス信号をセットし、該シンボル検出が途切れると該プレキャリア・センス信号をリセットする受信部と、
送信要求があると、上記プレキャリア・センス信号がセットされている間は、送信開始を抑える送信部、とを備えたことを特徴とする。
【００４２】
上記通信モデムは、
キャリア・センス信号が途切れるのは、監視対象のシンボルが検出ができなくなるか、または信号レベルが所定値以下になることとしたことを特徴とする。
【００４３】
送信部は、送信フレームの種別をみて、所定の種別の場合は、送信要求があると、プレキャリア・センス信号がリセットされていることを確認して送信開始するようにしたことを特徴とする。
【００４４】
この発明に係る通信方法は、
伝送路における信号衝突を監視して無衝突時に送信を開始する通信方法において、
上記監視中の受信信号のキャリア・センス条件成立後に、該キャリア・センス条件の消失を検出する消失検出ステップと、
上記消失検出すると、信号衝突を監視する最初のフェーズに戻るステップ、とを設けたことを特徴とする。
【００４５】
上記通信方法は、
キャリア・センス後に規定時間経過しているかを調べる時間判定ステップを設けて、
監視中の受信信号のキャリア・センス条件成立後に、該キャリア・センス条件が消失すると、信号衝突を監視する最初のフェーズに戻るステップに代えて、上記時間判定ステップで規定時間が経過していた場合は、同期をとり直すステップを備え、
規定時間経過していない場合は、信号衝突を監視する最初のフェーズに戻るステップとしたことを特徴とする。
【００４６】
また、この発明に係る通信方法は、
伝送路における信号衝突を監視して無衝突時に送信を開始する通信方法において、
監視対象であるシンボルを検出するとプレキャリア・センス信号をセットするステップと、
上記シンボル検出が途切れると上記プレキャリア・センス信号をリセットするステップと、
送信要求があると、上記プレキャリア・センス信号がセットされている間は、送信開始を抑えるステップ、とを備えたことを特徴とする。
【図面の簡単な説明】
【００４７】
【図１】この発明の実施の形態１における通信モデムの動作フローを示す図である。
【図２】実施の形態１における通信モデムの構成を示す図である。
【図３】図１におけるＦＣ検出後のレベル低下検出ステップ付加の効果を説明するタイミング図である。
【図４】実施の形態１における受信制御部の詳細構成を示す図である。
【図５】図１におけるＦＣ検出後のＣＳ規定時間経過判定ステップ付加の効果を説明するタイミング図である。
【図６】この発明の実施の形態２における通信モデムの動作フローを示す図である。
【図７】図６におけるプレキャリア・センス確認後送信の効果を説明するタイミング図である。
【図８】従来の通信モデムの動作フロー図である。
【符号の説明】
【００４８】
２１  受信部、２３  制御機器インタフェース、２０５  レベル検知部、２０６  トーン検定部、２０７  キャリアセンス判定部、２０８  受信制御部、２０９  フィールド・コード判定部、２１０  ヘッダ受信部、２１１  ペイロード受信部、２３１  受信ステート制御回路、２３３  同期タイマリセット制御回路、２３５  同期タイマ回路、Ｓ１０６  キャリアセンス判定ステップ、Ｓ１０７  フィールド・コード検出ステップ、Ｓ１１０  レベル低下検出ステップ、Ｓ１２０  キャリアセンス後の規定時間経過判定ステップ、Ｓ１３２  プレキャリアセンス信号ネゲート・ステップ、Ｓ１３３  プレキャリアセンス信号アサート・ステップ、Ｓ１５２  プレキャリアセンス信号アサート確認ステップ、Ｓ１５３  プレキャリアセンス信号ネゲート確認ステップ。
【図１】
0004575405.tif 000002
【図２】
0004575405.tif 000003
【図３】
0004575405.tif 000004
【図４】
0004575405.tif 000005
【図５】
0004575405.tif 000006
【図６】
0004575405.tif 000007
【図７】
0004575405.tif 000008
【図８】
0004575405.tif 000009